(57)【要約】      （修正有）【課題】腰痛症、間欠性跛行などの症状を改善する装置を提供する。【解決手段】膝をついたときの膝を受ける膝台４と、膝をついた姿勢の大腿部を支持する支持体５と、そのまま姿勢を倒して頭を下にした場合に胸部を支える胸支持体６とから構成する。胸支持体６よりも頭部が下方に位置する状態で人体を支持する。【効果】腸を大腰筋と背骨との間から離して、背骨付近の血管や神経への圧迫を開放させ、腰痛の改善を含めて、多くの症状の軽減に貢献できる。【選択図】図１
2013192688.tif 000002
【特許請求の範囲】
【請求項１】
膝をついたときの膝を支える膝台と、
膝をついた姿勢の大腿部を支える大腿部支持体と、
膝をついた姿勢を倒して頭を下にした姿勢で胸部を支える胸支持体と、
頭を下にした姿勢の肘を支える肘支持体とからなり、
胸支持体よりも頭部が下方に位置する状態で人体を支持することを特徴とする、
腰痛の治療装置。
【発明の詳細な説明】
【技術分野】
【０００１】
本発明は、腰痛の治療装置に関するものである。
【背景技術】
【０００２】
腰痛が重症となると数分歩行しただけで脚の痛みで歩けなくなる間欠性跛行を発症する。
一般に間欠性跛行の原因は血行不良、脊椎の椎間板の変形、椎間板ヘルニアとされている。
しかし実際にはその原因のいずれにも該当しないのに、間欠性跛行や下肢の激痛が発症する場合がある。
反対に、血行不良、脊椎の椎間板の変形、脊椎管狭窄症、椎間板ヘルニアがあっても間欠性跛行や下肢の激痛がまったく発症せず、腰部や下肢にまったく障害が発症していないケースも多い。
そこで発明者は、上記以外に未知の原因がある、と推定した。
その推定原因とは、腸と骨盤付近の筋肉が干渉し、神経と血管が腸によって圧迫されるのではないか、というものである。
【０００３】
まず腸は、背骨の中ほど、胸椎と腰椎の境界あたりからカーテンのような膜で腹腔内にぶら下がっており、腹腔内を動くことができる。
一方、骨盤のすぐ上には大腰筋や小腰筋とそれに関係する軟部組織があり、股関節の動きや脊柱の動きに合わせて骨盤の上部で移動している。
この筋肉は背中を丸めて股関節を屈曲すると脊柱から離れ、股関節を伸ばし背中を伸ばすと脊柱に接触する。
そこで推論であるが、何らかの衝撃や加齢で大腰筋やそれに関する軟部組織と脊柱の間に腸が干渉すると、すなわち腸が筋肉や軟部組織にひっかかると脊柱の腹側を走行する神経や血管を圧迫するのではないか、という理解である。
【０００４】
このように理解すると、以下のように間欠性跛行の症状を合理的に説明することができる。
＜１＞  短時間で、下肢の痛みによって歩行や直立ができなくなる症状であるが、これは歩行や直立時に骨盤内の筋肉と背骨や骨盤の間が狭くなり、腸が圧迫されて閉鎖するのではないか。そのために腸内に徐々に食物が滞留して腸が風船のように膨らみ神経や血管を徐々に圧迫してゆき、その結果として徐々に痛みが増して座り込んでしまう、と説明することができる。
＜２＞  座ったりしゃがむと痛みが取れるが、これは背中を丸めて股関節を屈曲させることでその筋肉と背骨の間の間隔が広がり、腸への圧迫が少なくなって腸内の食べ物が流れだし、その結果として神経への圧迫が取れて再び直立や歩行が可能となる、これが間欠性跛行であると説明することができる。
＜３＞  慢性的な下肢の激痛の原因であるが、腸と大腰筋やそれに関する軟部組織と脊柱の間の干渉が大きくなると、脊柱の裏側に走行する神経と血管を慢性的に圧迫し続け、これが原因で慢性的な激痛を生じるのではないか、と説明することができる。
＜４＞  間欠性跛行の症状があっても、自転車は長時間乗れる、前屈すると歩ける、という現象がある。これは自転車は股関節を屈曲させてペタルを踏むので筋肉と背骨が離れる瞬間があり、食物が滞留しない、また前屈姿勢はその筋肉と背骨の間隔が大きくなっているので、やはり腸内の食物が滞留しにくくなり、それが原因で神経の圧迫が起きない、と説明することができる。
＜５＞  血管の障害により下肢に血行不良があると間欠性跛行を発症することがあるが、これは血管が脊柱の腹側で神経と平行して走っているので、腸が神経を圧迫しているときには同時に血管の圧迫しており、その結果、血行障害も同時に発症する。このような血管に障害があると、腸がわずかに血管を圧迫しても強い血行障害となり、間欠性跛行を起こしやすくなる、と説明することができる。
＜６＞  排便、排尿障害が発症する場合があるが、これは重傷となった場合に腸が尿道まで圧迫し、さらに大腸も圧迫されるのが原因であると説明することができる。
＜７＞  後述する本発明の装置によって腸を上方に移動させるとその過程で脚や足の痛みの位置が変わる場合がある。これも間欠性跛行の原因が腸の位置にあるから起きる現象であると説明することができる。
【先行技術文献】
【特許文献】
【０００５】
【特許文献１】特開２００２−３５０６２号公報
【発明の概要】
【発明が解決しようとする課題】
【０００６】
前記したように本願発明の発明者は、腸、大腰筋、背骨、血管、神経の関係を推論し、そこから腰痛の治療装置の発明に至ったが、従来はそのような見解に基づく発明は存在しなかった。
【課題を解決するための手段】
【０００７】
本発明の発明者は上記のような従来に指摘に対して、これを別の角度からとらえてその症状の改善をするものであって、本発明の腰痛の治療装置は、膝をついたときの膝を受ける膝台と、そのまま姿勢を倒したときに大腿部を支える大腿部支持体と、そのまま姿勢を倒して頭を下にした場合に胸部を支える胸支持体と、肘を下から支える肘支持体とからなり、股関節を屈曲し、背中を丸めて頭を体より下にするように構成したものである。
【発明の効果】
【０００８】
本発明の腰痛の治療装置は以上説明したようになるから次のような効果を得ることができる。
＜１＞  本発明の装置はいままでにない、腸、大腰筋、背骨の位置、動きから、背骨の腹側の血管や神経の圧迫に着目してなされたものである。
＜２＞  股関節を屈曲させて背中を丸め大腰筋と背骨の間に大きな間隔を作り、逆立ち状態で腸を、重力で大腰筋と背骨から離す装置であり、腸を大腰筋と背骨との間から離して、背骨付近の血管や神経への圧迫を開放させ、腰痛の改善を含めて、多くの症状の軽減に貢献できるものである。
＜３＞  精密な電子機器ではなく、簡単な装置であるから、製造が安価で故障する可能性も少ない。
＜４＞  患者は短時間、一定の前傾姿勢を維持するだけであるから、その治療は１〜２分という短い時間に簡単な動作をするだけであって、薬物治療や手術などの手数や危険性はまったくない。
【図面の簡単な説明】
【０００９】
【図１】本発明の腰痛の治療装置の実施例の断面図。
【図２】使用状態の説明図。
【発明を実施するための形態】
【００１０】
以下図面を参照にしながら本発明の好適な実施の形態を詳細に説明する。
【実施例】
【００１１】
＜１＞本発明の原理
本発明の発明者は、上記したような下肢の激痛やそれによる間欠性跛行、腰痛症、その他の症状の患者に長年接していた。
その治療の過程で、患者の腹部の調整で症状が変わることを、発明者自ら確認していた。
そこで、その理由はなにかを長年検討し、仮説を立てては立証を繰り返した。
そして到達した結論は、大腰筋と腸と背骨の位置とその動きの関係ではないか、という仮定であった。
この仮定は、発明者自ら腰痛症や下肢の激痛による間欠性跛行を患い、自らを対象とした研究の裏付けによってさらに自信を持つに至った。
【００１２】
＜２＞腸の移動
体内の臓器のほとんどはその位置を固定されており、位置の移動がゆるされているのは胃や腸だけである。
その腸の位置は、四肢で歩行している動物を見ればわかるとおり、胴体のほぼ中心に垂れ下がって位置している。
垂れ下がっているということは、背骨から離れている、背骨と腸との間にカーテンのような膜でぶら下がっているということである。
そのような四肢動物が、人間になって立ち上がったために腸を吊り下げる膜は徐々に長く伸び、同時に腸は下方に下がった。
その結果、腸が骨盤上部の筋肉等に干渉するようになり、背骨と密着して神経や血管を圧迫する傷病が発生するに至った。
【００１３】
＜３＞病状との関係
位置の定まっていない腸が、骨盤上部の筋肉と背骨に挟まれることが原因で背骨を圧迫すると、背骨の腹側の血管、神経を圧迫することになる。
前記したように本発明の発明者はその腸の移動を原因とする、血管、神経の圧迫が激しい腰の痛みや間欠性跛行、その他の症状を招く、との仮定に至ったのである。
その仮定が正しければ、腸と筋肉と背骨の相互の干渉を外して、腸による背骨の腹側の血管、神経の圧迫を開放してやればよいことになる。
その仮定をもとに、開発したのが本発明の装置である。
【００１４】
＜４＞症状の改善
本発明の装置では、まず患者を下肢置き台の上に膝付き状態で座ってもらい、胸の位置にある胸支持体が胸に当たるように、お辞儀をする状態で前へ倒してもらう。
すると患者の頭部は、臀部よりも下方に位置することになる。
この姿勢を１〜２分間程度の短時間だけ維持させる。
この姿勢は大腰筋と背骨との間隔を大きくする。
さらに重力によって腸は鉛直下方に落ちる力をうける。その結果、筋肉と腸と背骨の干渉が外れることになる。
なおその状態で臀部付近に振動を与えるなどの補助手段を付与すると、腸が背骨と大腰筋との干渉から開放されやすくなる。
腸が背骨から離れて血管や神経への圧迫を軽減すれば、それによる痛みはなくなる。
実際に本発明の装置を使用した非公開の実験では、他の治療法と併用することによって格段と、症状の改善効果が表れることが分かった。
【００１５】
＜５＞装置の説明
以下本発明の装置の構造を説明する。
【００１６】
＜６＞全体の構成
本発明の装置は、両側に平行した設立した壁状の壁板１と、両壁板１の間を接続する底板２によって構成する。
そして、両側の壁板１の間には横断方向に複数の、板状、パイプ状、ブロック状の横断部材を配置する。
これらの板体は、患者の下肢を載せる下肢置き台３、膝を当てる膝台４、大腿部を支える大腿部支持体５、胸を支える胸支持体６、および肘を載せる肘支持体７などを設ける。
【００１７】
＜７＞胸支持体
胸支持体６は、両側の壁板１の間に、横断方向に設置する部材であり、一定幅の平板などで構成する。
平板の場合には、一方に下がった傾斜状態で設置する。
その胸支持体６の上に患者が、下がった方向に向けて腰から二つ折れになった状態で胸を載せるので、クッション性のよい部材で被覆するとよい。
【００１８】
＜８＞膝台
膝台４は、両壁板１の間に、横断方向に設置する板材であり、患者が下肢置き台３の上に下肢をほぼ水平に置き、立て膝の姿勢で立つときに膝付近が当たる位置に膝台４が位置する。
そのためにクッション性のよい材料で被覆しておく。
膝台４の高さは、胸支持体６の高さよりも低く設置する。
その結果、膝台４に膝を当ててお辞儀をした患者が、胸支持体６に胸を支持されて下向きに傾斜した姿勢をとることができる。
膝台４に膝を当てる場合の脛が当たる部分は下肢置台３に載せている。
【００１９】
＜９＞肘支持体
肘支持体７は、前傾した患者が、顔面の前や側面に回した腕、肘を載せるための台であり、やはりクッション性のよい材料で被覆しておく。
【００２０】
＜１０＞装置の機械化
上記の装置によっても、後述するように大幅な改善がみられた。
しかしさらに、患者の腰を揺らすために大腿部支持体５を電動装置で、横断方向に往復動するように構成することもできる。
この往復動は毎分６０〜９０回、幅１００ｍｍ程度が好ましい。
あるいは胸支持体６を電動で上下動可能に構成し、患者に合わせて前屈の角度を調整することもできる。
このような往復動、上下動は、従来公知の機械要素の組み合わせによって容易に構成することができる。
【００２１】
＜１１＞使用方法
まず患者は、本発明の装置の下肢置き台３の上に、ほぼ水平状態で下肢の脛をそろえて載せる。
その姿勢で膝台４に膝を当て、大腿部を大腿部支持体５に当てると膝立ちの姿勢となる。
その膝立ちの姿勢からお辞儀をする姿勢で体を前方に倒す。
すると胸の前方に胸支持体６があるので、そこに体を二つ折りにして、そのまま頭部を下げてゆく。
そして胸が胸支持体６に当たって傾斜が終了したら、顔の前に回した腕、肘を肘支持体７の上に載せる。
患者には１〜２分程度の短時間の間、その姿勢を維持してもらう。場合によってはその姿勢のまま患者に振動を与える。
【００２２】
＜１２＞姿勢の意味
本発明の装置で、患者に上記のような姿勢を取ってもらう意味を以下で説明する。
患者は装置に乗って、股関節を屈曲させ、胸部よりも頭部を下に位置させている。
その結果、股関節を屈曲させて大腰筋などの筋肉を緩め、かつ背骨から離れる位置にさせて腸をその干渉から外す。
腸は重力によって徐々に背骨側から離れることになる。
腸が背骨と筋肉の間から外れることによって、背骨付近の血管、神経への腸の圧力が開放される。
するとそれまでの起立姿勢やあるいは就寝姿勢で、腸によって圧迫されていた背骨付近の血管や神経が徐々に、加圧状態にない自然な状態に戻り、その異常が解消される。
その姿勢で背中や臀部から振動などの補助手段を与えれば、さらに背骨から腸を離してその位置の矯正を促すことができる。
この姿勢の維持によって、各種の症状が瞬時に改善されるものではない。
しかし他の治療手段との併用によって、発明者が施術した患者の間での秘密保持義務を課しての非公開実験の結果、以前とは明らかに相違した著しい効果が表れることが分かった。
その効果は、重度の腰痛症、間欠性跛行に限らず他の症状でも良好な結果が得られるものと考えられる。
【００２３】
＜１３＞他の症状の改善
腸が大腰筋や背骨の間に大きく干渉したときに重度の腰痛症や間欠性跛行を発症するが、その干渉が小さい場合でも背骨にストレスを与える。
そのストレスが椎間板の変形、椎間板ヘルニア、側弯症、猫背などの原因となり、腰痛症を引き起こすことも発見した。
したがってその干渉を取り去ることで腰痛症の治療に今までにない効果が生じている。
さらに血管の圧迫は高血圧症などの循環器系疾患に、また胃や腸が下方に引っ張られる力は胃下垂や逆流性胃腸炎などの消化器系疾患に大きくかかわると推定することができる。
その根拠は、実際に腰痛の治療の過程でそれらの症状が改善されるケースが多くあるからである。
【００２４】
＜１４＞姿勢の裏付け
本発明の装置を使用した場合に、その効果はレントゲン写真などを撮影して比較したものではなく、まだ科学的な立証を行っていない。
しかし前記したように間欠性跛行は、体幹を伸展した時に症状が悪化し、体幹を前屈した時に症状が軽減することが知られている。
さらに歩行するにつれて下肢の広い範囲にしびれや痛みが生じても、腰椎を前屈して休むと症状が軽快し、また歩けるという症状も知られている。
さらに、間欠性跛行症状を持つ患者でも、このような前傾姿勢が症状の改善につながることも知られているが、しかし大腰筋、小腰筋とそれに関する軟部組織と、腸と背骨との関係では説明されたことはなかった。
本発明の装置はその点に着目してなされたものであって、科学的な立証は未着手であるが、従来の改善策からみても、信憑性の高い治療器具であるということができる。
それだけではなく、現在考えられている症状と原因の関係よりも合理的な説明がつき、その効果が説明を裏付けているということができる。
【符号の説明】
【００２５】
１：壁板
２：底板
３：下肢置き台
４：膝台
５：大腿部支持体
６：胸支持体
７：肘支持体
【図１】
2013192688.tif 000003
【図２】
2013192688.tif 000004